(57)【特許請求の範囲】
【請求項１】
ＤＥＭデータを格納するデータ記憶手段と、
前記データ記憶手段に記憶されたＤＥＭデータに基づいて標高値に色を割り当て、標高値に応じて色が遷移するグラデーションカラーで表現したカラー標高図を作成するカラー標高図作成手段と、
前記データ記憶手段に記憶されたＤＥＭデータに基づいて傾斜値を算出するとともに傾斜値に濃度を割り当て、傾斜値を濃淡で表現したグレースケール傾斜図を作成するグレースケール傾斜図作成手段と、
前記カラー標高図作成手段により作成されたカラー標高図と、前記グレースケール傾斜図作成手段により作成されたグレースケール傾斜図と、を合成してカラー標高傾斜図を作成するカラー標高傾斜図作成手段と、を有し、
前記カラー標高傾斜図作成手段は、前記カラー標高図の不透明度と前記グレースケール傾斜図の不透明度とを異なる不透明度とするとともに、前記グレースケール傾斜図の不透明度に比して前記カラー標高図の不透明度を小さい値として、前記カラー標高図と前記グレースケール傾斜図とを合成することを特徴とするカラー標高傾斜図作成システム。
【請求項２】
前記カラー標高図作成手段は、強調する標高部分に対してストレッチ幅を調整し得るカラー強調手段を有することを特徴とする請求項１に記載のカラー標高傾斜図作成システム。
【請求項３】
前記グレースケール傾斜図作成手段は、強調する傾斜部分に対してストレッチ幅を調整し得る傾斜強調手段を有することを特徴とする請求項１または請求項２に記載のカラー標高傾斜図作成システム。
【請求項４】
カラー標高図作成手段により、データ記憶手段に記憶されたＤＥＭデータに基づいて標高値に色を割り当て、標高値に応じて色が遷移するグラデーションカラーで表現したカラー標高図を作成する段階と、
グレースケール傾斜図作成手段により、前記データ記憶手段に記憶されたＤＥＭデータに基づいて傾斜値を算出するとともに傾斜値に濃度を割り当て、傾斜値を濃淡で表現したグレースケール傾斜図を作成する段階と、
カラー標高傾斜図作成手段により、前記カラー標高図の不透明度と前記グレースケール傾斜図の不透明度とを異なる不透明度とするとともに、前記グレースケール傾斜図の不透明度に比して前記カラー標高図の不透明度を小さい値として、前記カラー標高図と前記グレースケール傾斜図とを合成する段階と
によってカラー標高傾斜図を作成することを特徴とするカラー標高傾斜図作成方法。
【請求項５】
さらに、カラー強調手段により、強調する標高部分に対してストレッチ幅を調整し得る段階を有することを特徴とする請求項４に記載のカラー標高傾斜図作成方法。
【請求項６】
さらに、傾斜強調手段により、強調する傾斜部分に対してストレッチ幅を調整し得る段階を有することを特徴とする請求項４または請求項５に記載のカラー標高傾斜図作成方法。
【発明の詳細な説明】
【技術分野】
【０００１】
本発明は、計測対象とする地域における傾斜の度合いや標高差が視覚的に明確に同時に判断できる構成とした、カラー標高傾斜図作成システムおよびカラー標高傾斜図作成方法に関するものである。
【背景技術】
【０００２】
地域の開発や環境保全、災害発生の予防対策を講ずるために、地形の判読が必要となる場合がある。ここで、一般に、地形とは地表面の起伏の形態のことであり、その特徴は、１地点においてはその位置（平面座標x、y、および標高zで表される）および斜面の向きと傾斜の方向で認識できる。さらに、ある面積を持った領域においては、地形は、斜面の向きの変化と傾斜の変化との組み合わせの３次元空間における連続性によって認識できる。
【０００３】
地形判読は、地表面の起伏の形態の特徴を把握することにより、目的に応じた地形区分を行うものである。地形判読に必要な情報としては、斜面の傾斜度、傾斜度の変化、傾斜の向き、斜面の走向、地点の高度、地点の平面的位置、多点間の距離・位置関係などがあり、判読を定量的に行うためにはこれらができるだけ歪みのない状態で提示されていることが望ましい。
【０００４】
地形判読に必要な情報を得る手法として、次の３種類の手法が知られている。
【０００５】
（１）仮想的立体を視覚的に再現する方法
空中写真など、立体に対し中心投影法により作成した視点の異なる一対の平面画像、あるいは地形図などを斜投影法により画像処理した一対の平面画像を用い、肉眼の視差を利用して仮想的立体を視覚内に構築するもので、平行法・交差法・余色法により立体視を行う方法がある。また、マイクロプリズムによる波長ごとの屈折角の違いを利用して左右両眼に視差を作り出し、赤いものは手前に、青いものは奥に見えるような視覚を生み出すことによって、高度を色相に割り当てた平面画像から仮想的立体を再現する手法もある。これらの方法では、実際に立体を見る状態と類似した立体感を再現でき、さらに視差の効果を調整することにより、立体感を強調してみせることもできる。
【０００６】
（２）地形判読に必要な情報を個別に提示する方法
地表面の起伏を記述する地形量を個々に提示することにより２次元平面において地形的特徴を読み取る方法である。（ａ）傾斜図は、任意の地点における傾斜の度合いを数値あるいは記号などに置き換え、または色相や明度などの連続量として示したものである。非特許文献１には、ＤＥＭデータから算出した傾斜から傾斜図を作成し、地形判読に利用する試みが示されている。同様に（ｂ）傾斜方位図は、任意の地点における傾斜方向を数値あるいは記号、色相や明度などに置き換えて示したものである。
【０００７】
（ｃ）斜面方位図は、任意の地点において斜面と交差する水平面が描く交線の向きを数値あるいは記号、色相や明度などに置き換えて示したものである。標高図は、任意の地点における標高値を数値あるいは記号などに置き換えて示したものである。標高値を色相や明度などに置き換え、段階的に表示したものを高度段彩図という。（ｄ）標高図のうち、同標高値を連ねた線を一定間隔で描画したものは、等高線図と呼ばれ、標高値と同時に等高線の向きによって斜面方位を表している。
【０００８】
（３）凹凸感の生成により擬似的に立体感を得る方法
（ａ）２次元平面上では、標高値の情報に基づいて立体感を得ることは、一定距離間の標高値の変化の情報によるのみではむずかしい。しかし、一定距離間の標高値の変化の情報と凹凸を判定する情報とを組み合わせて立体感を得る手法が、最近開発されている。地形の凹凸の情報を得る手法としては、任意の方向に光源を設定して生じた陰影で地表面の起伏を表現する方法、凸部や凹部の一定距離間における地上（地下）見通し角をあらわす地上（地下）開度を算出する方法がある。また、起伏のある地形に対して交差するような傾向面を発生させ、その面と地表面との標高差の正負を算出し凹部と凸部を判別して可視化する方法がある。
【０００９】
（ｂ）これらの方法に基づいて２次元平面上で立体感を表現した図としては、一定方向に光源をおいて作成した陰影起伏図がある。また、非特許文献２には、地表面の起伏にローパスフィルタをかけた値と実際の標高値との差分を色相と彩度に割り当て、垂直方向の光源によって生じる反射輝度を明度に割り当てて透過合成した陰陽図が示されている。
【００１０】
ところで、地形を立体的に表現することについては、例えば、特許文献１には、航空写真などの画像データに、当該撮像地域の標高データと陰影付地図データを融合させて、地形を起伏表現することが記載されている。
【００１１】
【特許文献１】特開２００１−００５３８０号公報
【非特許文献１】神谷泉・黒木貴一・田中耕平、２０００、傾斜量図を用いた地形・地質の判読、情報地質、第11巻、第1号 9-22
【非特許文献２】秋山幸秀、２００５、LiDARによる３次元データの微地形表現手法−陰陽図−、地球惑星関連学会2005年合同大会予稿集，Y57-007
【発明の開示】
【発明が解決しようとする課題】
【００１２】
地形判読の手法において、前記（１）仮想的立体を視覚的に再現する方法においては、立体を視覚内に構築することは同時に遠近感を得ることになり、視野内に均一な縮尺が得られないため、直接定量的な計測を行うことはむずかしい、という問題があった。
【００１３】
また、非特許文献１に示されているような（２）地形判読に必要な情報を個別に提示する方法においては、一般的には、２次元平面において標高値および一定距離間における標高値の変化量の可視化によってのみ立体感を得ることは困難である。たとえば傾斜図では、傾斜角のみでは傾斜方向が表せないため、上昇する斜面か下降する斜面かを区分することができず、その情報だけでは完全な凹凸感は得られない。
【００１４】
一般的に知られている等高線による地形図の場合でも同様である。等高線は、その向きにより斜面方位、その描画間隔の粗密により傾斜の度合いを同時に表現している。しかしながら、傾斜の度合いだけでは、上昇斜面か下降斜面かを見分けられず、斜面方位にも反転を防止する効果はないため、尾根と谷を見誤ることも多い。
【００１５】
またラプラシアン図の場合には、鋭い傾斜変化を明瞭に表すことができ、凹型斜面や凸型斜面を識別することができるが、傾斜の変化が一定の場合は谷部や尾根部のどこでも同じ表現になるため、谷線や尾根線の位置を特定することができない場合がある。このように、前記（２）の方法においても、地形判読を精度良く行うことができないという問題があった。
【００１６】
さらに、非特許文献２に示されているような（３）凹凸感の生成により擬似的に立体感を得る方法、においても、標高値自体を示す情報を欠くために、標高差が大きい地域における局所的領域間の高低差が把握できず、局所的な凹凸感は得られても、全体としての高低の位置関係を含んだ十分な立体感を得ることはできないという問題があった。
【００１７】
前記特許文献１に記載されている地形図においては、対象とする地域の起伏の状態は視覚的にある程度判断できる構成としている。しかしながら、対象とする地域における傾斜の度合いの細部や、標高差については視覚的に判断が困難という問題があった。
【００１８】
本発明は、上記課題を解決するものであって、地形の特徴を判読識別するための手段として、地形の起伏および谷地形・尾根地形、分布位置・高度を２次元平面状で、同時にかつそれぞれ明瞭に識別できる構成とした、カラー標高傾斜図作成システムおよびカラー標高傾斜図作成方法の提供を目的とする。
【課題を解決するための手段】
【００１９】
そのために本発明のカラー標高傾斜図作成システムは、ＤＥＭデータを格納するデータ記憶手段と、
前記データ記憶手段に記憶されたＤＥＭデータに基づいて標高値に色を割り当て、標高値に応じて色が遷移するグラデーションカラーで表現したカラー標高図を作成するカラー標高図作成手段と、
前記データ記憶手段に記憶されたＤＥＭデータに基づいて傾斜値を算出するとともに傾斜値に濃度を割り当て、傾斜値を濃淡で表現したグレースケール傾斜図を作成するグレースケール傾斜図作成手段と、
前記カラー標高図作成手段により作成されたカラー標高図と、前記グレースケール傾斜図作成手段により作成されたグレースケール傾斜図と、を合成してカラー標高傾斜図を作成するカラー標高傾斜図作成手段と、を有し、
前記カラー標高傾斜図作成手段は、前記カラー標高図の不透明度と前記グレースケール傾斜図の不透明度とを異なる不透明度とするとともに、前記グレースケール傾斜図の不透明度に比して前記カラー標高図の不透明度を小さい値として、前記カラー標高図と前記グレースケール傾斜図とを合成することを特徴とする。
【００２０】
また、前記カラー標高図作成手段は、強調する標高部分に対してストレッチ幅を調整し得るカラー強調手段を有することを特徴とする。
【００２１】
前記グレースケール傾斜図作成手段は、強調する傾斜部分に対してストレッチ幅を調整し得る傾斜強調手段を有することを特徴とする。
【００２２】
本発明のカラー標高傾斜図作成方法は、カラー標高図作成手段により、データ記憶手段に記憶されたＤＥＭデータに基づいて標高値に色を割り当て、標高値に応じて色が遷移するグラデーションカラーで表現したカラー標高図を作成する段階と、
グレースケール傾斜図作成手段により、前記データ記憶手段に記憶されたＤＥＭデータに基づいて傾斜値を算出するとともに傾斜値に濃度を割り当て、傾斜値を濃淡で表現したグレースケール傾斜図を作成する段階と、
カラー標高傾斜図作成手段により、前記カラー標高図の不透明度と前記グレースケール傾斜図の不透明度とを異なる不透明度とするとともに、前記グレースケール傾斜図の不透明度に比して前記カラー標高図の不透明度を小さい値として、前記カラー標高図と前記グレースケール傾斜図とを合成する段階と
によってカラー標高傾斜図を作成することを特徴とする。
【００２３】
さらに、カラー強調手段により、強調する標高部分に対してストレッチ幅を調整し得る段階を有することを特徴とする。
【００２４】
さらに、傾斜強調手段により、強調する傾斜部分に対してストレッチ幅を調整し得る段階を有することを特徴とする。
【発明の効果】
【００３１】
以上のように、本発明によれば、計測対象とする地域における傾斜の度合いをグレースケールで、標高差をカラー段彩、例えば虹色で表示するので、視覚的に明確に判断できる。
【００３２】
また、本発明で作成されるカラー標高傾斜図を用いることにより、任意の地点の標高と斜面の傾斜の度合い、または傾斜の変化などについて、個別の情報の意味を失うことなく、同時に、かつ面的に連続的に把握できる。このため、尾根・谷の反転や高度位置関係の錯誤なく、地形の起伏を把握することができる。また、標高と傾斜の数値は個別に保存され、それぞれ数値データとしても取り出すことができる。
【発明を実施するための最良の形態】
【００３３】
最初に、本発明の基本的な構成原理について説明する。一つの２次元平面上では、傾斜やラプラシアンなどの標高値の変化に基づく個別の情報のみによって地形の起伏を直感的に正しく認識することは簡単ではない。また凹凸感の生成により擬似的に立体感を得る方法では、相対的に広範囲の高低差を直感的に得ることができず、地形判読に必要な情報としては十分ではない。
【００３４】
しかしながら、地形判読には必ずしも立体感が必要ではなく、斜面の向きの変化と傾斜の変化との組み合わせの３次元空間における連続性が、斜面の傾斜の度合い、傾斜の度合いの変化、傾斜の向き、斜面の走向、地点の高度、地点の平面的位置、多点間の距離・位置関係などの情報から正しく認識できればよい。
【００３５】
そこで本発明では、地形判読に必要な個別の情報を選択合成して提示するという方法に基づいて、標高値と傾斜度を合成し、２次元平面上において地形の特徴を直感的に把握するとともに、歪みのない正射投影画像上で定量的な地形量として表示する具体的な手法を提示する。
【００３６】
すなわち、本発明においては、数値標高データから色相などに割り当てた標高データ（高度段彩図）と濃度に割り当てた傾斜度データ（傾斜図）を透過合成してカラー標高傾斜図を作成する。このような、カラー標高傾斜図は、汎用のコンピュータシステムおよびＧＩＳ（Geographic Information System）ソフトウェアを用いて作成するものである。
【００３７】
図４〜図１８は、本発明の実施形態に係る具体的なカラー標高傾斜図作成を示す説明図である。図４において、データ作成Ａでは、航空機によるレーザスキャニングで地形計測を行なう（Ａａ）。レーザスキャニングで得られた地形計測Ａａを基にして、ＤＥＭ（Digital Elevation Model）データを作成する（Ａｂ）。なお、ＤＥＭデータは既存のデータを用いることもできる。
【００３８】
図５は、図４のレーザスキャニングによる地形計測Ａａを詳細に示すものである。図５に示されているように、航空機２３は、ＩＭＵ（慣性計測装置）とＧＰＳ人工衛星２１、およびＧＰＳ地上基準局２２によりＸ、Ｙ、Ｚ３軸方向の位置と姿勢が正確に追跡される。計測対象地域をレーザスキャニング２４し、地表面の位置データ２５を取得するとともにデジタル画像を取得する。
【００３９】
図５に示されているような、航空機による地形のレーザ計測は、地表面の高度を直接示す測定点が数ｍ〜１ｍ以下の間隔に１点程度と、高密度かつ面的に得られる特徴がある。さらに、反射距離の違いによって、近傍の一群の測定点の中から樹木や建物等から反射したものと地面から反射したものを区別するフィルタリング処理を行い、条件が良い場合には、樹木下の地盤高に極めて近似した詳細地形モデルを作成することができる。その結果、従来の大縮尺地形図やデータ間隔の粗い数値標高地形モデルでは表現できなかった詳細な地形を再現することができるようになった。また、空中写真判読では定量的表現が容易でなかった微小地形をわかりやすく可視化することができるようになった。
【００４０】
さらに、このような高密度の三次元数値データは、鳥瞰図化や、縮倍比の変更、陰影の付加、地形情報の定量的計測が容易に行なえる。また、目的に合わせた地形表現の加工が容易であるという利点があり、地形解析の良い基礎データとなる。
【００４１】
図４のＢでは、ＤＥＭデータに対して、可視化のために一次加工（標高・傾斜の可視化）を行なう。地形判読の際には、標高と傾斜が重要な要素となっているので、Ｂの処理では、カラー標高図の作成（Ｂａ）と、グレースケール傾斜図の作成（Ｂｂ）を行なう。この例では、ある火山付近の地形図を作成している。カラー標高図は、異なる標高を異なる色の段彩で表現するものである。
【００４２】
カラー標高図は、例えば、標高の高い部分Ｂｘを赤色で、中間の標高の部分Ｂｙを黄色で、標高の低い火口底Ｂｚを青色とし、その間の標高を赤〜黄〜青に遷移するグラデーションカラーで表示する。一次加工で作成されたカラー標高図に対して、標高帯、傾斜帯を強調表示する二次加工Ｃを行なう。この処理は、標高帯、傾斜帯を強調表示したカラー標高図Ｃａを作成する。二次加工は、一次加工で作成されたカラー標高図において、標高に応じて着色されたところの色相、彩度、明度などのレンジを変えて、視覚による地形判読を容易にするためになされる。たとえば、標高の高い部分の着色を赤から他の色に変えるような、着色の変更処理も行われる。なお、二次加工は、状況に応じて省略することもできる。
【００４３】
カラー標高傾斜図の合成Ｄでは、一次加工Ｂ、または二次加工Ｃで得られたカラー標高図Ｂａと、グレースケール傾斜図Ｂｂとを合成する。グレースケール傾斜図Ｂｂでは、傾斜が急峻な地形、例えばＢｒの部分で濃度が濃く表現される。前記のように、カラー標高図と、グレースケール傾斜図とを合成した結果として、カラー標高傾斜図Ｄａが作成される。
【００４４】
このカラー標高傾斜図Ｄａは、対象とする地形、この例では火山付近の地形が、標高と傾斜とを有彩色と無彩色、例えば３原色のみならず、中間色も含めた虹色のカラーとグレースケールとで表示しているので、従来のようなモノクロ、あるいは単色の地形図よりも、視覚により地形の特徴を明確に把握できる。そのため、地形判読の専門家でない場合でも、標高や傾斜の変化が直感的に判読できる。
【００４５】
図６は、図４とは異なる対象地域について、カラー標高傾斜図を作成する例を示す説明図である。図６において、データ作成Ａでは、航空機によるレーザスキャニングで地形計測を行なう（Ａｃ）。この例では、山間部の地形判読を行なうものとする。レーザスキャナの地形計測Ａａを基にしてＤＥＭデータを作成する（Ａｄ）。ＤＥＭデータＡｄを基にして、陰影起伏図Ａｅと等高線図Ａｆを作成する。
【００４６】
図６のＢでは、ＤＥＭデータに対して、一次加工（標高・傾斜の可視化）を行なう。この処理では、図４の例と同様にカラー標高図の作成（Ｂａ）と、グレースケール傾斜図の作成（Ｂｂ）を行なう。カラー段彩標高図Ｂａ標高の高い山の部分を赤色（Ｂｘ）で、中間の標高の部分を黄色（Ｂｙ）で、標高の低い河川を青色（Ｂｚ）の連続的な段彩で表示している。グレースケール傾斜図Ｂｂでは、傾斜の急峻な部分（Ｂｗ）の濃度を濃くしている。グレースケール傾斜図Ｂｂから、地上開度図Ｂｃ、地下開度図Ｂｄ、ラプラシアン図Ｂｅ、傾斜区分図Ｂｆを作成する。これらの各図の詳細は、後述する。図６では、カラー標高図Ｂａに対する二次加工Ｃは行なわずに、カラー標高図Ｂａとグレースケール傾斜図Ｂｂにより、カラー標高傾斜図の合成Ｃを行なう。
【００４７】
前記処理Ｃで作成されたカラー標高傾斜図Ｃａは、対象とする地形の、例えば、標高をカラー段彩で、傾斜を０〜５０度を範囲とするグレースケールで表示している。Ｅの処理で、各種地形解析図との合成を行なう。すなわち、前記カラー標高図Ｂａと、陰影起伏図Ａｅ、地上開度図Ｂｃ、地下開度図Ｂｄ、ラプラシアン図Ｂｅ、傾斜区分図Ｂｆを適宜組み合わせて合成する。この処理により、例えば、標高＋傾斜帯強調図Ｅａ、標高＋ラプラシアン図Ｅｂを作成する。Ｆの処理は、地形判読図Ｆａを作成する。地形判読図Ｆａは、カラー標高傾斜図Ｃａと、前記標高＋傾斜帯強調図Ｅａ、標高＋ラプラシアン図Ｅｂなどにより作成する。この地形判読図Ｆａは、斜面の傾斜、斜面の方向などから、成因に応じた地形種を判断し、地すべりのあとなどを判読した結果を記入したものである。地形判読図Ｆａの詳細については後述する。
【００４８】
図７は、図６の一次加工Ｂにおいて作成される傾斜区分図Ｂｆの例を示す説明図である。傾斜区分図Ｂｆは、前記ＤＥＭデータから傾斜角度を計算し、角度別に色分け表現したものである。傾斜区分図Ｂｆは、地形の傾斜角度に応じて段階的な色分けを行なっている。
【００４９】
図８〜図１６は、図６のＤＥＭデータに基づいて作成される各種地形解析図を示しており、図６のカラー標高図Ｂａと同じ地形を異なる主題で表示している。この中で、図８〜図１０の例は陰影起伏図、傾斜図など地形量の数値を濃淡や色彩によって表現したもの、あるいはそれらと他の地形量を組み合わせたものである。
【００５０】
図８は、陰影起伏図Ａｅを示している。陰影起伏図Ａｅは、三次元の地形に対して、ある方向から光源をあてた場合に、地形の起伏に応じた陰影が表現されるので、そのような状態を示した図である。陰影起伏図は、地質・地形を判読する際に判り易く、直感的に把握することが容易である。また、リニアメントなどがはっきり認識できるという利点がある。図９は、等高線図Ａｆを示している。
【００５１】
図１０は、傾斜図Ｂｂ（０〜５０度）を示している。傾斜図Ｂｂは、地形の傾斜の度合いを示したものであり、傾斜が大きければ大きいほど濃い色で示される。すなわち、数値で表された地形の傾斜の度合いを濃淡に変換して表示する方法である。このように、傾斜図は、数値データであることを活かし、直感的にわかりにくい微妙な変化について濃淡のレンジを選択調整して，表現したい傾斜区分に合わせて見やすく可視化ができる。
【００５２】
図１１は、傾斜帯強調図Ｅａを示している。傾斜帯強調図Ｅａは、カラー標高傾斜図にグレースケール傾斜図を重ねたものであるが、図１０に示された前記傾斜図Ｂｂを用いて、３０度以上の傾斜部分を、標高に用いた色と彩度・明度の異なる色相を選択し強調した図である。
【００５３】
図１２〜図１５は開度図を示している。図１２は、地上開度図Ｂｃ（距離１００ｍ）、図１３は地上開度図Ｂｃ'（距離２０ｍ）の例である。地上開度図は、着目する地点から距離Ｌの範囲内で見える空の広さを表しているもので、一般に周囲から突出している地点ほど大きくなり、山頂や尾根で大きな値、くぼ地や谷底では小さい値を示し、突出した山頂や尾根が強調される。
【００５４】
図１４は、地下開度図Ｂｄ（距離１００ｍ）、図１５は地下開度図Ｂｄ'（距離２０ｍ）の例である。地下開度図は、地上開度図とは逆に、空が地表に遮られる度合いをあらわす指標で、谷地形の発達状況や河川の分布・密度などがよく表現される。地下開度図は、地表面から地下を見渡す時、距離Ｌの範囲における地下の広さを表しており、一般に地下にくい込んでいる地点ほど大きくなり、くぼ地や谷底で大きな値、山頂や尾根では小さい値を示し、くぼ地や谷地が強調される。
【００５５】
図１６、図１７は、ラプラシアン図を示している。ラプラシアン図は、傾斜の変化率を表し、くぼんだ地形で正、突出した地形で負となり、一般的に地形の変化が大きいところで絶対値が大きくなる。図１６のラプラシアン図Ｂｅは、凸部（尾根など）を赤く（Ｂｒ）、凹部（谷部など）が青く（Ｂｓ）なるように作成してある。また、図１７のラプラシアン図Ｇｂは、凸部（尾根など）を白く（Ｂｕ）、凹部（谷部など）が黒く（Ｂｖ）なるように作成してある。ラプラシアン図は、陰影図とは異なり、強調される方向はないが、傾斜変化の鋭いエッジが抽出されるため、山ひだの様子やリニアメントが表現できる。
【００５６】
図１８、図１９には、カラー標高傾斜図を用いて作成した地形判読図の例が示されている。図１８は、等高線図を背景とした地形判読図Ｆｘを示しており、図１９は、図６と同じカラー標高傾斜図Ｆｂを背景とした地形判読図を示している。図１８、図１９においては、（ａ）遷急線、（ｂ）崩壊跡地、（ｃ）滑落崖、（ｄ）沖積錐、（ｅ）土石流堆、（ｆ）崖錐ガリー、地すべり土塊、（ｇ）段丘面、の位置をそれぞれ記号で表示している。
【００５７】
図１８、図１９から、当該地域の地形特性は、次のようなものであると判読される。（イ）全体として緩傾斜な山間地の斜面にも、侵食の程度が異なる渓流が分布している。（ロ）大きな河川沿いには、渓床から３０ｍ前後の高さに遷急線（後氷期浸食前線）が明瞭に存在し、直下の斜面は土砂移動が活発である。（ハ）中央の地すべり地形は、３つの小ブロックに分かれる。（ニ）中央の地すべり地形は、不明瞭な滑落崖を伴う。
【００５８】
このように、地形特性から、災害発生の形態を判読することができる。地形図から判読される災害発生形態は、（イ）遷急線直下からの浸食→斜面崩壊、（ロ）浸食の著しい谷からの崩壊土砂の流下、（ハ）地すべりによる緩慢な土砂移動、などである。
【００５９】
図１８では、標高が等高線で表されているが直感的にはわかりにくい。これに対して、図１９の例では、地形図の標高、傾斜を複数色、例えば虹色のカラー表示としている。このため、対象地域における災害要因となる地形状況の把握が視覚的に的確に行なえるという利点がある。
【００６０】
図１は、本発明の実施形態を示すブロック図で、図４の処理に相当する。図１において、カラー標高傾斜図作成システムの制御部１は、航空機などに搭載したレーザスキャナ２でスキャニングされた計測データ、または予め用意されている等高線地形図３、または航空写真のステレオ画像計測４（ステレオ画像マッチング）とを用いて、ＤＥＭ（Digital Elevation Model）データ作成部５で、ＤＥＭデータ（数値標高モデル）を作成する。
【００６１】
作成されたＤＥＭデータから、対象とする地域の傾斜、および標高を算出して表示する。ＤＥＭデータは既存のＤＥＭデータ６を用いることもできる。傾斜算出部７は、標高値の差分化により傾斜を算出する。算出された傾斜を用いて、傾斜度表示画像作成部８で、グレースケールの輝度調整がなされた傾斜図が作成される。
【００６２】
一方、標高表示部９では、標高を色相などに割り当てたカラー段彩図が作成される。このカラー段彩図は、標高強調画像作成部１０で適切な色相が選択され、さらに彩度、明度の調整がなされる。グレースケールの輝度調整がなされた傾斜図と、色の調整がなされたカラー標高図は、画像合成部１１で透過合成される。透過合成された画像は、表示部１２においてカラー標高傾斜図（Elevation and Slope Angle：ELSA）が表示される。
【００６３】
次に、出力部１３でカラー標高傾斜図が出力される。本発明のカラー標高傾斜図は、ＥＬＳＡマップ（Elevation and Slope Angle Map）と略称することができる。なお、図４で説明したように、二次加工としての標高帯、傾斜帯の強調表示を省略することも可能である。この場合には、標高強調画像作成部１０は、適切な色相、彩度、明度の調整を行なう標高画像作成部として機能する。
【００６４】
ＤＥＭデータを用いて、図８〜図１６で説明した二次加工データである、陰影起伏図、傾斜区分図、地上開度図、地下開度図、ラプラシアン図のいずれか、またはそれらの複数を表示、出力する構成とすることは、任意に選択できる。図１では、カラー標高傾斜図をプリントアウトする出力部１３を設けているが、出力部１３は必須の構成ではない。表示部１２も広義の出力手段であり、カラー標高傾斜図を表示させることで足りる場合もある。
【００６５】
図２は、本発明の実施形態に係るカラー標高傾斜図作成システムの概略構成を示すブロック図である。図２において、当該システム５０は、各種の演算、処理を実行するＣＰＵ５１、キーボードやマウスなどの入力部５２、図４〜図１７で説明した各種の地形解析図を二次元で表示する出力部（ディスプレイ）５３を有している。出力部５３として、当該地形図をカラーやモノクロで記録紙にプリントする、プリンターを設けることもできる。
【００６６】
また、画像空間のデータが格納されるＲＡＭ５４を有している。この画像空間のデータは、ＤＥＭデータを用いてラスタ・データ・モデルを作成するもので、微小な分割領域セル（またはピクセル）からなる二次元配列である。前記画像空間のデータは、ＲＡＭ５４の実世界座標空間に変換される。さらに、ＲＡＭ５４の実世界座標空間の情報は、出力部（ディスプレイ）５３の二次元面に表示される。また、システムを動作させるプログラムが格納されているＲＯＭ５５、ＤＥＭデータが格納されているメモリ５６を有している。
【００６７】
図３は、本発明の実施形態に係るカラー標高傾斜図作成方法の処理手順を示すフローチャートである。図３において、判読対象・ＤＥＭデータ取得方法の選択を行なう（Ｓ１）。次に、ステレオ画像マッチング（Ｓ２）、等高線データ（Ｓ３）、対称地域のレーザスキャナ計測データ（Ｓ４）によりＤＥＭデータを作成する（Ｓ６）。また、既存のＤＥＭデータを取り出す（Ｓ５）。
【００６８】
対象地域の標高値を表示する（Ｓ７）。この処理では、標高値に対応してカラー段彩を施しており、カラーは、例えば虹色のように複数色とするが、単一の色相を選択することもできる。次に、標高帯表示色相のレンジ調整を行なう（Ｓ８）。この処理は、標高値に対応して彩色される色相が視覚と適合するように色相、彩度を調整するものである。
【００６９】
強調標高帯表示適合性を判定する（Ｓ９）。表示適合性あり（Ｙ）と判定した場合には次の処理に移行する。検討結果の判定が表示適合性なし（Ｎ）の場合には、再度標高帯表示色相のレンジ調整を行なう。ここで、通常の処理では、例えば、標高が高い地形を赤色で、標高が低い地形を青色で、中間の標高の地形を黄色で連続的に表示すると高低差が明確に視覚で判断できる。したがって、標高が高いところから低いところに向けて順次、赤色、黄色、青色の連続色でレンジ調整を行なう。
【００７０】
ところで、標高の高い山では樹木の緑で覆われているので、標高の高いところは視覚では緑色のイメージがある。また、低地の道路、グランドなどは視覚では茶色のイメージがある。そこで、強調標高帯表示適合性を判定する（Ｓ９）処理においては、当初、高い標高を赤色で表示していたところを、緑色に置き換え、低地を青色から茶色に置き換えてレンジ調整を行なうようにすることもできる。以上の処理により、自然な感覚を加えた地形の立体情報が得られるカラー標高図が作成される（Ｓ１１）。
【００７１】
一方、ＤＥＭデータに基づき、対象とする地域の傾斜度を算出する（Ｓ１２）。次に、グレースケール輝度で傾斜度を表示する（Ｓ１３）。続いて、傾斜度表示グレースケールの輝度のレンジ調整を行なう（Ｓ１４）。傾斜度についても、強調傾斜帯表示適合性を判定する（Ｓ１５）。この判定結果がＮの場合には、Ｓ１４の処理に戻り再度傾斜度表示グレースケールの輝度のレンジ調整を行なう。Ｓ１５の判定結果がＹの場合には、強調グレースケール傾斜図の作成を行なう（Ｓ１７）。
【００７２】
強調カラー標高図と強調グレースケール傾斜図により、カラー標高傾斜図（ＥＬＳＡ）を合成する（Ｓ１８）。次に、カラー標高傾斜図（ＥＬＳＡ）をディスプレイに表示する（Ｓ１９）。続いて、カラー標高傾斜図を出力して記録紙にプリントする（Ｓ２０）。なお、なお、図４で説明したように、二次加工としての標高帯、傾斜帯の強調表示の処理を省略することも可能である。この場合には、強調標高帯表示適合性を判定する（Ｓ９）処理、および強調傾斜帯表示適合性を判定する（Ｓ１５）処理は行わない。
【００７３】
本発明では、高度段彩図と傾斜量図を透過合成した図が、地形判読に有効であることを見出して、カラー標高図と傾斜図を透過合成する具体的方法を開示した。前記カラー標高図と傾斜図との透過合成の具体的方法は、次の通りである。
【００７４】
（１）透過合成手法
傾斜図は単独でも地形判読に使うことが可能であるが、尾根谷が反転して見えることもあるのが弱点である。そこで、標高値をカラー段彩図として合成することにより、その弱点を補うことができる。従来においては、数種類の画像を不透明度１００％で乗算合成しているため、原色に近い、濃い色合いになる傾向があった。
【００７５】
本発明のカラー標高傾斜図は、不透明度を１００％に調整した傾斜図( グレースケールの濃淡) の上に、虹色で表示した高度段彩図の不透明度を５０％などに減じ、合成して表示している。傾斜図の不透明度を減ずることも可能であるが、その場合は全体的に淡い色合いになる。標高よりも傾斜の変化が地形判読には重要であるため、視覚的に明瞭に認識できるように、通常は傾斜図に不透明度の調整は行なわない。標高図の透過性を増加させることにより、原色に近い色合いから、透明感のあるきれいな色調の画像を作成することができる。
【００７６】
（２）カラー標高傾斜図作成に使うプログラム
従来の地形判読図は、一般向けの画像処理専用ソフトを使って作成されている。一般向けの画像処理専用ソフトで２種類の画像（例えばカラー標高図と傾斜図）を乗算合成する場合、片方の不透明度を下げることができない。本発明のカラー標高傾斜図は、ＧＩＳソフトのラスタ透過機能を用いて作成した。これを使うことにより、不透明度を０〜１００％の範囲で好みに応じて調整することが可能となった。
【００７７】
（３）高度段彩の表現
本発明は、高低差の表現を細かく行なうため、基本的に七色の色相を選択しているが、好みに応じ、画像処理ソフトを使ってカラー標高図の色相や彩度、明度を変えることも可能である。例えば、低所を赤色、高所を緑色でストレッチ表現したカラー標高図を傾斜図と透過合成すると、自然な地形の立体感が得られ、地形判読に詳しくない人でも地形を理解することが容易となる。
【００７８】
（４）傾斜の表現
本発明は、傾斜の度合いの表現には基本的に濃淡（グレースケール）を選択しているが、必要に応じて、画像処理ソフトを使って濃度の端点を変えることも可能である。例えば、緩傾斜部分を細かく表現したい場合は、その部分に濃淡のストレッチ幅を調整すると、人間の視覚には認識しにくい微小な傾斜変化を可視化することができる。
【００７９】
（５）定量的数値データの表示
本発明のカラー標高傾斜図は、画像として透過合成されたものである。したがって、起伏感を出すものではないので、標高値と傾斜量は数値データとしてそれぞれ個別に保存されており、必要に応じて画像としても数値データとしても単独に取り出すことができる。
【００８０】
（６）傾斜量図以外の図との透過合成
不透明度１００％の図には傾斜量図以外の画像も使用できる。尾根・谷の傾斜変換部が強調されるラプラシアンを、グレースケールなどの濃淡で表現することも可能である。ラプラシアンは、一般的に侵食域と堆積域の相違を示す指標と言われている。このため、カラー標高図と透過合成することにより、両区域の高度分布が把握でき、砂防・治山事業、道路防災事業等の防災分野に利用できる。
【００８１】
次に、本発明のカラー標高傾斜図のその他の有効利用について説明する。本発明によるカラー標高傾斜図は、地形判読だけではなく、標高情報の厳密さを要求する事項に有効活用できる。洪水や津波の災害危険予測図(ハザードマップ)では、浸水域の把握や、現在生活している地域の標高を把握することができる。
【００８２】
また、都市部では建物の高度に応じたカラー標高傾斜図を作成できる。この場合のカラー標高傾斜図は、都市計画など建物の高さ情報に基づいて実施される事業に利用可能である。さらに、津波の避難対策として避難ビルが提唱されているが、浸水域に対して、どのビルが高く安全なビルであるか検討するとともに、平面上でビジュアルに可視化することも可能である。
【００８３】
以上、本発明の実施形態について説明した。本発明は、これらの実施形態に限定されず、種々の形態で実施することができる。
【産業上の利用可能性】
【００８４】
以上説明したように、本発明によれば、計測対象とする地域における傾斜の度合いや標高差を視覚的に明確に判断できる構成とした、カラー標高傾斜図作成システムおよびカラー標高傾斜図作成方法を提供することができる。
【図面の簡単な説明】
【００８５】
【図１】本発明の概略構成を示すブロック図である。
【図２】本発明のシステム構成を示すブロック図である。
【図３】本発明の処理手順を示すフローチャートである。
【図４】本発明の実施形態を示す説明図である。
【図５】本発明の実施形態を示す説明図である
【図６】本発明の実施形態を示す説明図である。
【図７】本発明の実施形態を示す説明図である。
【図８】本発明の実施形態を示す説明図である。
【図９】本発明の実施形態を示す説明図である。
【図１０】本発明の実施形態を示す説明図である。
【図１１】本発明の実施形態を示す説明図である。
【図１２】本発明の実施形態を示す説明図である。
【図１３】本発明の実施形態を示す説明図である。
【図１４】本発明の実施形態を示す説明図である。
【図１５】本発明の実施形態を示す説明図である。
【図１６】本発明の実施形態を示す説明図である。
【図１７】本発明の実施形態を示す説明図である。
【図１８】本発明の実施形態を示す説明図である。
【図１９】本発明の実施形態を示す説明図である。
【符号の説明】
【００８６】
１・・・カラー標高傾斜図作成システムの制御部、２・・・レーザスキャナ、３・・・等高線地形図、４・・・ステレオ画像マッチング（ソフト）、５・・・ＤＥＭ（Digital Elevation Model）データ作成部、６・・既存のＤＥＭデータ、７・・・傾斜算出部、８・・・傾斜度表示画像作成部、９・・・標高表示部、１０・・・標高強調画像作成部、１１・・・画像合成部、１２・・・表示部、１３・・・（カラー標高傾斜図：ＥＬＳＡ）出力部、５０・・・カラー標高傾斜図作成システム、５１・・・ＣＰＵ、５２・・・入力部、５３・・・出力部、５４・・・ＲＡＭ、５５・・・ＲＯＭ、５６・・・メモリ。
【図１】
0004771459.tif 000002
【図２】
0004771459.tif 000003
【図３】
0004771459.tif 000004
【図４】
0004771459.tif 000005
【図５】
0004771459.tif 000006
【図６】
0004771459.tif 000007
【図７】
0004771459.tif 000008
【図８】
0004771459.tif 000009
【図９】
0004771459.tif 000010
【図１０】
0004771459.tif 000011
【図１１】
0004771459.tif 000012
【図１２】
0004771459.tif 000013
【図１３】
0004771459.tif 000014
【図１４】
0004771459.tif 000015
【図１５】
0004771459.tif 000016
【図１６】
0004771459.tif 000017
【図１７】
0004771459.tif 000018
【図１８】
0004771459.tif 000019
【図１９】
0004771459.tif 000020